(57)【特許請求の範囲】
【請求項１】
定期券取扱所端末と定期券発行管理センタパソコンとをネットワークを介して情報を送受する構成において、
定期券取扱所端末は、定期券購入時に利用者から申し込みを受けて、定期券発行時に、定期券情報の他に当該個人を特定する個人パスワード情報を定期券発行管理センタパソコンに送信する機能及び定期券の解約、紛失処理を行う際に定期券発行管理センタパソコンの定期券発行データベースの中から登録されている個人パスワード情報を検索し、検索した個人パスワードと申告パスワードとを照合する機能を備え、
定期券発行管理センタパソコンは、定期券発行データベースを有し、定期券取扱所端末から送信された定期券情報と当該利用者を特定する個人パスワード情報を受信して、これらを定期券発行データベースに登録する機能を備えている、
ことを特徴とする定期券不正解約防止システム。
【請求項２】
上記定期券発行管理センタパソコンは、定期券発行データベースの中から定期的に有効期限切れの定期券の定期券情報と個人パスワード情報を消去する機能を備えていることを特徴とする請求項１に記載の定期券不正解約防止システム。
【請求項３】
上記定期券取扱所端末は、定期券解約の申し込み時に、定期券発行管理センタパソコンの定期券発行データベースに登録されている個人パスワードと定期券解約者が申告した申告パスワードとを照合し、一致している場合のみ定期券の解約が行える機能を備えていることを特徴とする請求項１に記載の定期券不正解約防止システム。
【請求項４】
上記定期券取扱所端末は、紛失した定期券が拾得された場合の引取り時に、定期券発行管理センタパソコンの定期券発行データベースに登録されている個人パスワードと定期券引取り者が申告した申告パスワードとを照合し、一致した場合に定期券の引渡しが行える機能を備えていることを特徴とする請求項１に記載の定期券不正解約防止システム。
【請求項５】
上記定期券取扱所端末は、定期券の解約による払戻し時に、定期券発行管理センタパソコンの定期券発行データベースに登録されている定期券情報と個人パスワードとを消去する機能を備えていることを特徴とする請求項３に記載の定期券不正解約防止システム。
【請求項６】
上記定期券取扱所端末は、紛失した定期券の引渡し時に、個人パスワードの変更が行える機能を備えていることを特徴とする請求項４に記載の定期券不正解約防止システム。
【発明の詳細な説明】
【０００１】
【発明の属する技術分野】
本発明は、定期券の不正解約を防止する定期券不正解約防止システムに関するものである。
【０００２】
【従来の技術】
従来、定期券購入時に定期券取扱所で利用者からの定期券購入申込みを受けると、定期券発行時に定期券に利用者の住所，氏名，年齢，性別，電話番号等の個人情報と乗車区間，有効期間等の定期券情報を磁気記録した後、定期券取扱所の定期券発行装置が定期券を発行していたが、利用者が定期券を紛失した場合、定期券の紛失を駅員に届出なければ、定期券を不正に使用されてしまうことがあり、定期券の利用者の特定を行うことが困難で、定期券の有効期限が多く残っている場合、拾得者に定期券を不正に解約されてしまうおそれがあった。
【０００３】
【発明が解決しようとする課題】
本発明の目的は、定期券購入時に定期券取扱所で利用者からの定期券購入申込みを受けると、定期券発行時に定期券取扱所端末から定期券情報に加えて個人を特定する個人パスワード情報を定期券発行管理センタパソコンに送信し、定期券の個人パスワード情報により個人を特定し、定期券の個人パスワード情報に一致した正当な所有者でなければ解約が行えず、定期券の不正解約を個人パスワード情報により確実に防止することが可能な定期券不正解約防止システムを提供することにある。
【０００４】
【課題を解決するための手段】
本発明の定期券不正解約防止システムは、定期券取扱所端末と定期券発行管理センタパソコンとをネットワークを介して情報を送受する構成において、定期券購入時に定期券取扱所で利用者からの定期券購入申込みを受け、定期券発行時に定期券取扱所端末から定期券情報の他に個人を特定する個人パスワード情報を定期券発行管理センタパソコンに送信する機能を備えたことを特徴とする構成を有するものである。
【０００５】
本発明の定期券不正解約防止システムは、定期券発行管理センタパソコンが定期券発行データベースを有し、定期券発行時に利用者からの定期券購入申込みに基づいて定期券情報及び個人を特定する個人パスワード情報を定期券発行データベースに登録する機能を備えている。
【０００６】
本発明の定期券不正解約防止システムは、定期券発行管理センタパソコンが定期券発行データベースの中から定期的に有効期限切れの定期券の定期券情報と個人パスワード情報を消去する機能を備えている。
【０００７】
本発明の定期券不正解約防止システムは、定期券取扱所端末が定期券解約の申込みがあった時、定期券発行管理センタパソコンの定期券発行データベースに登録されている個人パスワードと定期券解約時に申告した申告パスワードとを照合し、個人パスワードと申告パスワードとが一致している場合のみ定期券の解約が行える機能を備えている。
【０００８】
本発明の定期券不正解約防止システムは、定期券取扱所端末が紛失した定期券が拾得された場合、定期券の引取り時においても個人パスワードと申告パスワードとを照合し、個人パスワードと申告パスワードとが一致した場合は、定期券の解約をせずに引渡しが行える機能を備えている。
【０００９】
本発明の定期券不正解約防止システムは、定期券取扱所端末が定期券の解約による払戻し時に、定期券発行管理センタパソコンの定期券発行データベースに登録されている定期券情報と個人パスワード情報を消去する機能を備えている。
【００１０】
本発明の定期券不正解約防止システムは、定期券取扱所端末が紛失した定期券の引渡し時に、個人パスワード情報の変更が行える機能を備えている。
【００１１】
【発明の実施の形態】
以下、本発明の実施の形態を図面に基づいて詳細に説明する。
図１は本発明に実施の形態における定期券不正解約防止システムを示す構成図、図２は本発明の実施の形態における定期券不正解約防止システムに係わる定期券購入申込書及び定期券を示す図である。
本発明の定期券不正解約防止システム１０は、図１に示すように、定期券取扱所２０の端末２１と定期券発行管理センタ３０のパソコン（ＰＣ）３１とがネットワーク４０を介して情報を送受するように接続され、定期券購入時に定期券取扱所２０で利用者からの定期券購入申込みを受け、定期券発行時に定期券取扱所２０の端末２１から定期券情報の他に個人を特定する個人パスワード情報を定期券発行管理センタ３０のパソコン３１に送信する機能を備えている。
【００１２】
定期券取扱所２０は、図１に示すように、端末２１と定期券発行装置２２とを有している。
【００１３】
定期券発行管理センタ３０は、図１に示すように、パソコン３１と定期券発行データベース（ＤＢ）３２とを有している。
【００１４】
本発明の定期券不正解約防止システム１０は、定期券発行管理センタ３０のパソコン３１が定期券発行データベース３２を有し、定期券発行時に利用者からの定期券購入申込みに基づいて定期券情報と個人情報及び個人を特定する個人パスワード情報を定期券発行データベース３２に登録する機能を備えている。
【００１５】
本発明の定期券不正解約防止システム１０は、定期券発行管理センタ３０のパソコン３１が定期券発行データベース３２の中から定期的に有効期限切れの定期券の定期券情報と個人情報と個人パスワード情報を消去する機能を備えている。
【００１６】
本発明の定期券不正解約防止システム１０は、定期券取扱所２０の端末２１が定期券解約の申込みがあった時、定期券発行管理センタ３０のパソコン３１の定期券発行データベース３２に登録されている個人パスワードと定期券解約時に申告した申告パスワードとを照合し、個人パスワードと申告パスワードとが一致している場合のみ定期券の解約が行える機能を備えている。
【００１７】
本発明の定期券不正解約防止システム１０は、定期券取扱所２０の端末２１が紛失した定期券が拾得された場合、定期券の引取り時においても個人パスワードと申告パスワードとを照合し、個人パスワードと申告パスワードとが一致した場合は、定期券の解約をせずに引渡しが行える機能を備えている。
【００１８】
本発明の定期券不正解約防止システム１０は、定期券取扱所２０の端末２１が定期券の解約による払戻し時に、定期券発行管理センタ３０のパソコン３１の定期券発行データベース３２に登録されている定期券情報と個人情報と個人パスワード情報を消去する機能を備えている。
【００１９】
本発明の定期券不正解約防止システム１０は、定期券取扱所２０の端末２１が紛失した定期券の引渡し時に、個人パスワード情報の変更が行える機能を備えている。
【００２０】
まず、定期券取扱所２０において、図２に示すように、利用者は定期券購入申込書５０に個人情報として住所，氏名，年齢，性別，電話番号等を記載し、これに加えて個人を特定する個人パスワード情報としてパスワードを記載し、定期券情報として乗車区間，有効期間を記載して申請し、これとは別に定期券購入申込書５０に定期券情報として金額，発行駅名，発行番号等が記載される。
【００２１】
利用者が個人情報，定期券情報，個人パスワード情報を記載した定期券購入申込書５０を定期券取扱所２０に提出すると、定期券取扱所２０の定期券発行装置２２が定期券情報を磁気記録した定期券６０を発行する。
【００２２】
図３は本発明の定期券不正解約防止システムにおける定期券発行時の処理フロー図である。
ステップＳ１００でスタートした処理は、定期券発行時に、ステップＳ１１１で定期券発行管理センタ３０のパソコン３１が利用者からの定期券購入申込みに基づいて定期券情報と個人情報と個人パスワード情報を定期券発行管理センタ３０の定期券発行データベース３２に登録する。
【００２３】
図４は本発明の定期券不正解約防止システムにおける定期券発行管理センタの定期券発行データベースの定期券情報と個人情報と個人パスワード情報の消去の処理フロー図である。
ステップＳ２００でスタートした処理は、ステップＳ２０１で定期券発行管理センタ３０のパソコン３が有効期限切れの定期券の定期券情報と個人情報と個人パスワード情報を定期的に定期券発行管理センタ３０の定期券発行データベース３２の中から消去する。
【００２４】
図５は本発明の定期券不正解約防止システムにおける定期券の払戻し時あるいは拾得された定期券の引渡し時の処理フロー図である。
ステップＳ３００でスタートした処理は、ステップＳ３０１で定期券の発行番号から定期券発行管理センタ３０の定期券発行データベース３２を検索し、定期券発行管理センタ３０の定期券発行データベース３２に登録した個人パスワード情報を取得し、個人パスワードを定期券取扱所２０の端末２１の表示部２１ａに表示し、次いで、ステップＳ３０２で定期券取扱所２０の端末２１の表示部２１ａに表示した個人パスワードと利用者の申告した申告パスワードとが一致しているか否かを判断する。
【００２５】
ステップＳ３０２において、定期券取扱所２０の端末２１の表示部２１ａに表示した個人パスワードと利用者の申告した申告パスワードとが一致している場合は、ステップＳ３０３に移行し、ステップＳ３０３で定期券の払戻しであるか否かを判断する。
【００２６】
ステップＳ３０３において、定期券の払戻しである場合は、ステップＳ３０４で定期券の払戻しを行い、次いで、ステップＳ３０５で定期券発行管理センタ３０の定期券発行データベース３２に登録されている定期券情報と個人情報及び個人パスワード情報を消去する。
【００２７】
ステップＳ３０３において、定期券の払戻しでない場合は、ステップＳ３０６で定期券の引渡しを行い、次いで、ステップＳ３０７でパスワード変更があるか否かを判断し、ステップＳ３０７において、パスワード変更がある場合は、ステップＳ３０８でパスワード変更を行う。
【００２８】
【発明の効果】
以上に述べたように、本発明の定期券不正解約防止システムによれば、定期券購入時に定期券取扱所で利用者からの定期券購入申込みを受けると、定期券発行時に定期券取扱所端末から定期券情報に加えて個人を特定する個人パスワード情報を定期券発行管理センタパソコンに送信するので、定期券の個人パスワード情報により個人を特定することができ、定期券の個人パスワード情報に一致した正当な所有者でなければ解約が行えないので、定期券の不正解約を個人パスワード情報により確実に防止することができる。
【００２９】
本発明の定期券不正解約防止システムによれば、定期券発行時に利用者からの定期券購入申込みに基づいて定期券情報及び個人を特定する個人パスワード情報を定期券発行管理センタの定期券発行データベースに登録するので、定期券の利用者の管理を行うことができる。
【００３０】
本発明の定期券不正解約防止システムによれば、定期券発行データベースの中から定期的に有効期限切れの定期券の定期券情報と個人パスワード情報を消去することができる。
【００３１】
本発明の定期券不正解約防止システムによれば、利用者からの定期券解約の申込みがあった時、定期券発行管理センタパソコンの定期券発行データベースに登録されている個人パスワードと定期券解約時に申告した申告パスワードとを照合し、個人パスワードと申告パスワードとが一致している場合のみ定期券の解約を行うことができ、個人パスワードと申告パスワードとを照合するのみで、個人の特定が行え、定期券の不正解約をなくすことができる。
【００３２】
本発明の定期券不正解約防止システによれば、定期券を紛失し、紛失した定期券が拾得された場合、定期券の引取り時においても、定期券発行管理センタパソコンの定期券発行データベースに登録されている個人パスワードと定期券引取者が申告した申告パスワードとを照合し、一致した場合に定期券の引渡しが行うことができ、これによって個人パスワードと申告パスワードとを照合するのみで、拾得された定期券を紛失した利用者本人に確実に引き渡すことができる。
【００３３】
本発明の定期券不正解約防止システムによれば、定期券の解約による払戻し時に、定期券発行管理センタパソコンの定期券発行データベースに登録されている定期券情報と個人パスワード情報を消去することができる。
【００３４】
本発明の定期券不正解約防止システムによれば、紛失した定期券の引渡し時に、定期券の個人パスワード情報を変更することができる。
【図面の簡単な説明】
【図１】本発明に実施の形態における定期券不正解約防止システムを示す構成図。
【図２】本発明の実施の形態における定期券不正解約防止システムに係わる定期券購入申込書及び定期券を示す図。
【図３】本発明の定期券不正解約防止システムにおける定期券発行時の処理フローチャート図。
【図４】本発明の定期券不正解約防止システムにおける定期券発行管理センタの定期券発行データベースの定期券情報と個人パスワード情報の消去の処理フローチャート図。
【図５】本発明の定期券不正解約防止システムにおける定期券の払戻し時あるいは拾得された定期券の引渡し時の処理フローチャート図。
【符号の説明】
１０  定期券不正解約防止システム
２０  定期券取扱所
２１  端末
２１ａ  表示部
２２  定期券発行装置
３０  定期券発行管理センタ
３１  パソコン
３２  定期券発行データベース
５０  定期券購入申込書
６０  定期券
【図１】
0003641446.tif 000002
【図２】
0003641446.tif 000003
【図３】
0003641446.tif 000004
【図４】
0003641446.tif 000005
【図５】
0003641446.tif 000006